(57)【要約】【課題】通常使用状態では固定され、不使用状態では所定位置に待避している製袋装置のシール装置の半固定部などに用いられるヒーター及びそれに適するケーブル保持構造を提供する。【解決手段】発熱体２２と、発熱体に接続された接続端子２４と、発熱体に電力を供給するためのケーブル３０と、ハウジング２１と、ケーブル保持板４１と結束バンド４２を含むケーブル保持構造４０を備え、ケーブル保持板４１は、ハウジング２１に固定される基部４１ａと、接続端子２４と芯線３１の先端の接続部の引き出し方向に対して略直角を成すケーブル保持部４１ｂと、基部４１ａとは反対側に形成された湾曲部４１ｃと，折返部４１ｄを備え、少なくともケーブル保持部４１ｂと湾曲部４１ｃは連続している。【選択図】図２
2019140351.tif 000002
【特許請求の範囲】
【請求項１】
発熱体と、前記発熱体に接続された接続端子と、芯線の先端が前記接続端子に接続され、前記発熱体に電力を供給するためのケーブルと、前記発熱体及び前記ケーブルの一部を内部に収容するためのハウジングと、前記ハウジングの一端に固定され、前記ケーブルの他の一部を保持するためのケーブル保持構造を備えたヒーターであって、
前記ケーブル保持構造は、前記ケーブルを保持するためのケーブル保持板と、前記ケーブルを前記ケーブル保持板に固定するための拘束具を備え、
前記ケーブル保持板は、前記ハウジングに固定される基部と、前記接続端子と前記芯線の先端の接続部の引き出し方向に対して略直角、直角よりも小さい所定の角度又は略平行を成し、前記拘束具によって前記ケーブルの他の一部を保持するためのケーブル保持部と、前記基部とは反対側の先端に形成された湾曲部とを備え、少なくとも前記ケーブル保持部と前記湾曲部とは連続していることを特徴とするヒーター。
【請求項２】
前記ケーブル保持部は、前記ヒーターの接続端子と前記ケーブルの芯線の先端の接続部の引き出し方向に対して略直角を成すように、前記基部と前記湾曲部の間に形成され、前記湾曲部は、前記接続部とは反対側に半円状に外向きに湾曲され、前記湾曲部に連続して前記ケーブル保持部と略平行になるように折返部が形成されていることを特徴とする請求項１に記載のヒーター。
【請求項３】
前記湾曲部は、前記基部の一方の端部から前記ヒーターの接続端子と前記ケーブルの芯線の先端の接続部側に半円状に内向きに湾曲され、前記湾曲部に連続して前記ケーブル保持部が、前記ヒーターの接続端子と前記ケーブルの芯線の先端の接続部の引き出し方向に対して略直角を成すように形成されていることを特徴とする請求項１に記載のヒーター。
【請求項４】
前記湾曲部は、前記基部の一方の端部から前記ヒーターの接続端子と前記ケーブルの芯線の先端の接続部側に内向きに湾曲され、前記湾曲部に連続して前記ケーブル保持部が、前記ヒーターの接続端子と前記ケーブルの芯線の先端の接続部の引き出し方向に対して直角よりも小さい所定の角度を成すように形成されていることを特徴とする請求項１に記載のヒーター。
【請求項５】
前記ケーブル保持部は、前記ヒーターの接続端子と前記ケーブルの芯線の先端の接続部の引き出し方向に対して直角よりも小さい所定の角度を成すように、前記基部と前記湾曲部の間に形成され、前記湾曲部は、前記接続部とは反対側に半円状に外向きに湾曲され、前記湾曲部に連続して前記ケーブル保持部と略平行になるように折返部が形成されていることを特徴とする請求項１に記載のヒーター。
【請求項６】
前記湾曲部は、前記基部に連続して前記ヒーターの接続端子と前記ケーブルの芯線の先端の接続部とは反対側に半円状に外向きに湾曲され、前記湾曲部に連続して前記ケーブル保持部が前記湾曲部に連続して前記ヒーターの接続端子と前記ケーブルの芯線の先端の接続部の接続部の引き出し方向に対して略直角となるように形成され、前記ケーブル保持部に連続して折返部が内向きに形成されていることを特徴とする請求項１に記載のヒーター。
【請求項７】
前記湾曲部は、前記基部に連続して前記ヒーターの接続端子と前記ケーブルの芯線の先端の接続部とは反対側に四半円状に外向きに湾曲され、前記湾曲部に連続して前記ケーブル保持部が前記湾曲部に連続して前記ヒーターの接続端子と前記ケーブルの芯線の先端の接続部の接続部の引き出し方向に対して略平行となるように形成され、前記ケーブル保持部に連続して折返部が内向きに形成されていることを特徴とする請求項１に記載のヒーター。
【請求項８】
前記ヒーターのハウジングは、金属で形成され、一方の端部近傍の側壁の一部が切り欠かれた円筒状であり、前記ケーブル保持構造の前記ケーブル保持板の前記基部は、前記ハウジングの前記側壁の一部が切りかかれた端部を塞ぐように、前記ハウジングに溶接されていることを特徴とする請求項１乃至請求項７のいずれか一項に記載のヒーター。
【請求項９】
前記発熱体は、細長い棒状のものをその中央部で略Ｕ状に折り返して形成され、その両端に２つの細長い板状の前記接続端子が略平行になるように接続され、前記ケーブルは、芯線を絶縁性樹脂で被覆した２本のケーブルが略平行に束ねられたものであることを特徴とする請求項１乃至請求項８のいずれか一項に記載のヒーター。
【請求項１０】
電力が供給される電気部品を内部に収容するハウジングに固定され、ケーブルを保持するためのケーブル保持板と、前記ケーブルを前記ケーブル保持板に固定するための拘束具を備えたケーブル保持構造であって、
前記ケーブル保持板は、前記ハウジングに固定される基部と、前記接続端子と前記芯線の先端の接続部の引き出し方向に対して略直角、直角よりも小さい所定の角度又は略平行を成し、前記拘束具によって前記ケーブルの他の一部を保持するためのケーブル保持部と、前記基部とは反対側の先端に形成された湾曲部とを備え、少なくとも前記ケーブル保持部と前記湾曲部とは連続していることを特徴とするケーブル保持構造。
【発明の詳細な説明】
【技術分野】
【０００１】
本発明は、例えば製袋装置のシール装置に用いられるヒーター、特に通常の使用状態では固定されているけれども、不使用状態では所定の位置に退避しているシール装置の半固定部に設けられるヒーター及びそのヒーターに電力を供給するためのケーブルの保持構造に関する。
【背景技術】
【０００２】
例えば製袋装置のヒーターを内蔵したシール装置の可動部のように、通常の使用状態において断続的に上下動される構造物に設けられたヒーターなどの電気部品に対して電力を供給するためのケーブルは、電気部品の接続端子とケーブルの芯線の先端の接続部に過大な力が働かないようにするため、及び、金属疲労による芯線自体の破断を防止するために、可動部と固定部との間で十分なたわみ量を確保するなどの対策が成されている。一方、シール装置の半固定部のように、通常の使用状態では固定されているけれども、装置の不使用状態では樹脂フィルムとの接触を回避するために所定の退避位置に下降するように構成された構造物に設けられた電気部品に対して電力を供給するためのケーブルに関しては、上下動を阻害しない程度のたわみ量しか確保されておらず、上下動の際に電気部品の接続端子と芯線の先端の接続部に過大な力が働き、上下動を繰り返すことによって半固定部の電気部品の接続端子から芯線が外れてしまうという問題を有している。また、メンテナンスのためにシール装置の半固定部を製袋装置から取り外す際にも同様の問題が生じる。
【０００３】
図８は、シール装置の半固定部及びそれに内蔵された従来のヒーターの構造を示す。図８において、実線で描かれた上側の位置は製袋装置の通常の使用状態におけるシール装置の半固定部の位置を示し、一点鎖線で描かれた下側の位置は、製袋装置の不使用状態におけるシール装置の半固定部の位置を示す。図に示すように、シール装置の半固定部１では、金型１０の中央部に形成された筒状の嵌合孔１１にヒーター２０が嵌合されており、ヒーター２０に電力を供給するためのケーブル３０の芯線３１の先端は、発熱体２２から水平方向に突出された接続端子２４に溶接などによって接続されている。ケーブル３０の芯線３１とヒーター２０の接続端子２４の接続部Ｐ１の囲には、セメントやエポキシ樹脂などの断熱性接着剤２６が充填され、ケーブル３０の一部が樹脂によってヒーター２０のハウジング２１に固定されている。しかしながら、ハウジング２１には、ケーブル３０を保持するためのケーブル保持構造は特に設けられていない。
【０００４】
シール装置の場合、ヒーター２０に大電力を供給するために、例えば０．７５ｓｑ〜３．５ｓｑといった太い芯線３１を備えたケーブル３０が用いられている。また、ケーブル３０は製袋装置のフレームなどに固定されており、上記のようにケーブル３０のたわみ量が少ないため、図中実線及び一点鎖線で示すように、半固定部１を上下動させる際、ケーブル３０のうち接続端子２４と接続部Ｐ１とフレームとの固定部Ｐ２との間でケーブル３０がスムーズに撓むことができず、ケーブル３０の芯線３１に掛かる力がほとんどそのままヒーター２０の接続端子２４と芯線３１の接続部に伝わり、芯線３１が接続端子２４から外れやすくなる。経験的には、数回の取り外し又は上下動によって接続端子２４から芯線３１が外れてしまうため、常に交換用の予備部品を用意しておかなければならない。
【０００５】
一方、従来からケーブルの芯線に対して過大な力が働かないようにするため、様々な工夫が成されている。特許文献１では、センサーなどの電気部品を収納する樹脂製の筒状ハウジングに、そのハウジングの後端からケーブルの引き出し方向に突出する円柱状の保持部材を設け、結束バンドなどを用いて保持部材にケーブルを固定することが開示されている。それによって、ケーブルに大きな引っ張り力が加えられたとしても、電気部品とケーブルの芯線との接続部に加えられる引っ張り力が結束バンドによって吸収され、電気部品から芯線が外れることが防止される。
【０００６】
また、特許文献２では、可塑性を有する帯状の金属板の一端を９０度折り曲げて形成され、センサーなどの電気部品を取り付けるための基端部と、長手方向の両側面に一定の間隔で外向きに突出する結束片を有するケーブル結束保護具が開示されている。基端部に取り付けられた電気部品をねじなどで他のフレームなどに固定した後、結束片によりケーブルを保持したケーブル結束保護具を任意の方向に折り曲げることによって、ケーブルと他の部材との干渉を防止することができる。
【０００７】
ところで、製袋装置のシール装置のように、樹脂フィルムを溶着するために用いられるヒーターに電力を供給するためのケーブルに関しては、高温の環境で使用されるため、特許文献１に記載されているような樹脂成形を用いてハウジングと保持部材を一体化するといった簡単な手法を用いることは事実上不可能である。また、特許文献２に記載されているように、ケーブルをケーブル結束保護具で保持した後、ケーブル結束保護具を折り曲げる場合、ケーブルとケーブル結束保護具の曲げ半径の差に起因するケーブルの動きを吸収するため、ケーブルを強固にケーブル結束保護具で保持することはできない。そうすると、ケーブルに大きな引っ張り力が加えられると、その力が直接電気部品の接続端子とケーブルの芯線の先端の接続部に掛かり、電気部品の接続端子から芯線が外れてしまう可能性がある。さらに、特許文献２のケーブル結束保護具は、金属板をプレス加工によって打ち抜いて製造されるため、その打ち抜いた剪断面は滑らかではなく、またエッジ部にバリが生じていたりする。このケーブル結束保護具をシール装置の半固定部と製袋装置のフレームとの間に引き回されたケーブルに使用した場合、半固定部の上下動によってケーブルの絶縁被覆とケーブル結束保護具の剪断面とが擦れ合い、絶縁被覆が破壊される虞がある。
【先行技術文献】
【特許文献】
【０００８】
【特許文献１】特開２００８−１９３８２６号公報
【特許文献２】特開平１１−０９８６５１号公報
【発明の概要】
【発明が解決しようとする課題】
【０００９】
本発明は、上記従来例の問題を解決するためになされたものであり、通常の使用状態では固定されているが不使用状態では所定の位置に待避している、例えば製袋装置のシール装置の半固定部などに用いられるヒーターであって、ケーブルに大きな引っ張り力や曲げ力が加えられたときでも、ヒーターなどの電気部品の接続端子と芯線の接続部に掛かる力を減衰させることができ、接続端子から芯線が外れるのを防止することが可能なヒーター及びそれに適するケーブル保持構造を提供することを目的とする。
【課題を解決するための手段】
【００１０】
上記目的を達成するために、本発明に係るヒーターは、発熱体と、前記発熱体に接続された接続端子と、芯線の先端が前記接続端子に接続され、前記発熱体に電力を供給するためのケーブルと、前記発熱体及び前記ケーブルの一部を内部に収容するためのハウジングと、前記ハウジングの一端に固定され、前記ケーブルの他の部分を保持するためのケーブル保持構造を備え、
前記ケーブル保持構造は、前記ケーブルを保持するためのケーブル保持板と、前記ケーブルを前記ケーブル保持板に固定するための拘束具を備え、
前記ケーブル保持板は、前記ハウジングに固定される基部と、前記接続端子と前記芯線の先端の接続部の引き出し方向に対して略直角、直角よりも小さい所定の角度又は略平行を成し、前記拘束具によって前記ケーブルの他の部分を保持するためのケーブル保持部と、前記基部とは反対側の先端に形成された湾曲部とを備え、少なくとも前記ケーブル保持部と前記湾曲部とは連続していることを特徴とする。
【００１１】
前記ケーブル保持部は、前記ヒーターの接続端子と前記ケーブルの芯線の先端の接続部の引き出し方向に対して略直角を成すように、前記基部と前記湾曲部の間に形成され、前記湾曲部は、前記接続部とは反対側に半円状に外向きに湾曲され、前記湾曲部に連続して前記ケーブル保持部と略平行になるように折返部が形成されていてもよい。
【００１２】
または、前記湾曲部は、前記基部の一方の端部から前記ヒーターの接続端子と前記ケーブルの芯線の先端の接続部側に半円状に内向きに湾曲され、前記湾曲部に連続して前記ケーブル保持部が、前記ヒーターの接続端子と前記ケーブルの芯線の先端の接続部の引き出し方向に対して略直角を成すように形成されていてもよい。
【００１３】
または、前記湾曲部は、前記基部の一方の端部から前記ヒーターの接続端子と前記ケーブルの芯線の先端の接続部側に内向きに湾曲され、前記湾曲部に連続して前記ケーブル保持部が、前記ヒーターの接続端子と前記ケーブルの芯線の先端の接続部の引き出し方向に対して直角よりも小さい所定の角度を成すように形成されていてもよい。
【００１４】
または、前記ケーブル保持部は、前記ヒーターの接続端子と前記ケーブルの芯線の先端の接続部の引き出し方向に対して直角よりも小さい所定の角度を成すように、前記基部と前記湾曲部の間に形成され、前記湾曲部は、前記接続部とは反対側に半円状に外向きに湾曲され、前記湾曲部に連続して前記ケーブル保持部と略平行になるように折返部が形成されていてもよい。
【００１５】
または、前記湾曲部は、前記基部に連続して前記ヒーターの接続端子と前記ケーブルの芯線の先端の接続部とは反対側に半円状に外向きに湾曲され、前記湾曲部に連続して前記ケーブル保持部が前記湾曲部に連続して前記ヒーターの接続端子と前記ケーブルの芯線の先端の接続部の接続部の引き出し方向に対して略直角となるように形成され、前記ケーブル保持部に連続して折返部が内向きに形成されていてもよい。
【００１６】
または、前記湾曲部は、前記基部に連続して前記ヒーターの接続端子と前記ケーブルの芯線の先端の接続部とは反対側に四半円状に外向きに湾曲され、前記湾曲部に連続して前記ケーブル保持部が前記湾曲部に連続して前記ヒーターの接続端子と前記ケーブルの芯線の先端の接続部の接続部の引き出し方向に対して略平行となるように形成され、前記ケーブル保持部に連続して折返部が内向きに形成されていてもよい。
【００１７】
前記ヒーターのハウジングは、金属で形成され、一方の端部近傍の側壁の一部が切り欠かれた円筒状であり、前記ケーブル保持構造の前記ケーブル保持板の前記基部は、前記ハウジングの前記側壁の一部が切り欠かれた端部を塞ぐように、前記ハウジングに溶接されていてもよい。
【００１８】
前記発熱体は、細長い棒状のものをその中央部で略Ｕ状に折り返して形成され、その両端に２つの細長い板状の前記接続端子が略平行になるように接続され、前記ケーブルは、芯線を絶縁性樹脂で被覆した２本のケーブルが略平行に束ねられたものであってもよい。
【００１９】
また、本発明に係るケーブル保持構造は、電力が供給される電気部品を内部に収容するハウジングに固定され、ケーブルを保持するためのケーブル保持板と、前記ケーブルを前記ケーブル保持板に固定するための拘束具を備え、
前記ケーブル保持板は、前記ハウジングに固定される基部と、前記接続端子と前記芯線の先端の接続部の引き出し方向に対して略直角、直角よりも小さい所定の角度又は略平行を成し、前記拘束具によって前記ケーブルの他の一部を保持するためのケーブル保持部と、前記基部とは反対側の先端に形成された湾曲部とを備え、少なくとも前記ケーブル保持部と前記湾曲部とは連続していることを特徴とする。
【発明の効果】
【００２０】
上記構成によれば、ヒーター又はヒーターの接続端子に芯線の先端が接続された状態で、ケーブルのうちケーブル保持板のケーブル保持部に対向する部分が拘束具によってケーブル保持部に固定され、保持されるので、ケーブルに大きな引っ張り力や曲げ力が加えられたときでも、ケーブルに掛かる力の大部分が拘束具によって拘束されている箇所に集中し、ケーブルの芯線に掛かる力が拘束具を介してケーブル保持板に作用し、さらにケーブル保持板を介してハウジングに作用する。そのため、ヒーター（電気部品）の接続端子とケーブルの芯線の接続部に作用する力が低減され、芯線が接続端子から外れにくくなる。
【図面の簡単な説明】
【００２１】
【図１】本発明の一実施形態に係るヒーターを内蔵したシール装置の半固定部の構造を示す図。
【図２】本発明の一実施形態に係るケーブル保持構造の第１構成例を示す断面図。
【図３】本発明の一実施形態に係るケーブル保持構造の第２構成例を示す断面図。
【図４】本発明の一実施形態に係るケーブル保持構造の第３構成例を示す断面図。
【図５】本発明の一実施形態に係るケーブル保持構造の第４構成例を示す断面図。
【図６】本発明の一実施形態に係るケーブル保持構造の第５構成例を示す断面図。
【図７】本発明の一実施形態に係るケーブル保持構造の第６構成例を示す断面図。
【図８】従来のケーブル保持構造を備えていないヒーターを内蔵したシール装置の半固定部の構造を示す図。
【発明を実施するための形態】
【００２２】
本発明の一実施形態に係るヒーター及びそれに適するケーブル保持構造について説明する。図１は、本実施形態に係るヒーターを備えたシール装置の半固定部の構造を示す。図１において、実線で描かれた上側の位置は製袋装置の通常の使用状態におけるシール装置の半固定部の位置を示し、一点鎖線で描かれた下側の位置は、製袋装置の不使用状態におけるシール装置の半固定部の位置を示す。シール装置の半固定部１は、例えばアルミニウムなどで形成された略直方体の金型１０と、金型１０の中央部に形成された筒状の孔１１に嵌合されるヒーター２０と、ヒーター２０に接続され、電力を供給するためのケーブル３０などで構成されている。通常の使用状態においては、金型１０及びヒーター２０は、それらの長手方向が水平となるように、製袋装置に取り付けられている。ヒーター２０は、例えばステンレス鋼などの金属で形成された円筒状のハウジング２１と、ハウジング２１内に設けられたニクロム線などの発熱体２２と、ハウジング２１内に充填され、発熱体２２を保持するための絶縁体２３と、発熱体２２に接続され、絶縁体２３の端部から水平方向に引き出された接続端子２４を備えている。
【００２３】
発熱体２２は、例えば細長い棒状のものをその中央部で略Ｕ状に折り返して形成され、その両端に２つの細長い板状の接続端子２４が略平行になるように接続されている。これら２つの接続端子２４にそれぞれ接続されるように、芯線を絶縁性樹脂で被覆した２本のケーブル３０が略平行に束ねられている。ハウジング２１のうち、金型２２から外側に突出する部分の一部（例えば上方）は切り欠かれており、この切欠部２５からケーブル３０がハウジング２１内に挿入され、ケーブル３０の芯線３１の先端が発熱体２２の接続端子２４に溶接などによって接続されている。ケーブル３０の芯線３１とヒーター２０の接続端子２４の接続部Ｐ１の周囲には、セメントやエポキシ樹脂などの断熱性接着剤２６が充填され、ケーブル３０の一部が断熱性接着剤２６によってヒーター２０のハウジング２１に固定されている。また、ヒーター２０のハウジング２１のうち、金型１０から突出している側，すなわち切欠部２５側の端部には、ケーブル３０を保持するためのケーブル保持構造４０が設けられている。
【００２４】
図２は、本実施形態に係るケーブル保持構造４０の第１構成例（図１におけるヒーター２０のうち金型１０から突出している部分と同じもの）を拡大して示す。ケーブル保持構造４０は、例えばステンレス鋼などの金属で形成されたケーブル保持板４１と、ケーブル３０をケーブル保持板４１に固定するための結束バンド４２などで構成されている。第１構成例では、ケーブル保持板４１は、側面視で逆「Ｊ」状断面形状を有しており、逆「Ｊ」状断面形状の下端近傍を基部４１ａ、逆「Ｊ」状断面形状の上端近傍を湾曲部４１ｃ、基部４１ａと湾曲部４１ｃの間をケーブル保持部４１ｂとする。ケーブル保持板４１の基部４１ａは、ヒーター２０の接続端子２４とケーブル３０の芯線３１の接続部の引き出し方向（通常の使用状態では水平方向）に対して略直角方向（通常の使用状態では垂直方向）となるようにハウジング２１の端部に溶接などによって固定されている。また、ケーブル保持部４１ｂもヒーター２０の接続端子２４とケーブル３０の芯線３１の接続部の引き出し方向に対して略直角となるように形成されている。ケーブル保持板４１の先端（通常の使用状態では上端）の湾曲部４１ｃは、接続端子２４と芯線３１の接続部とは反対側に半円状に外向きに湾曲され、さらに、湾曲部４１ｃに連続してケーブル保持部４１ｂと略平行になるように折返部４１ｄが形成されている。複数、例えば２つの結束バンド４２は、ケーブル３０を挟んだ状態でケーブル保持部４１ｂに強固に巻き付けられ、それによって、ケーブル３０のうちケーブル保持板４１のケーブル保持部４１ｂに対向する部分が当該ケーブル保持部４１ｂに固定される。
【００２５】
ケーブル３０はケーブル保持構造４０において２つの結束バンド４２によって強固にケーブル保持板４１のケーブル保持部４１ｂに固定されているため、図１において実線及び一点鎖線で示すように、シール装置の半固定部１を通常の使用位置から退避位置に変位させると、ケーブル３０は、接続端子２４と接続部Ｐ１とフレームとの固定部Ｐ２との間ではなく、ケーブル保持構造４０と製袋装置のフレームとの固定部Ｐ２との間で撓む。そして、ケーブルのたわみ又は変形が逆「Ｕ」状に制限され、ケーブル３０が動かされる際にケーブル３０に掛かる力の大部分が結束バンド４２によって拘束されている箇所に集中し、ケーブル３０の芯線３１に掛かる力が結束バンド４２を介してケーブル保持板４１に作用し、さらにケーブル保持板４１を介してヒーター２０のハウジング２１に作用する。特に、ケーブル３０の芯線３１の先端と、ケーブル保持部４１ｂに保持されている部分の芯線３１とは略直角を成すので、ケーブル３０がケーブル保持板４１に保持された状態を剛体とみなすと、ケーブル保持部４１ｂに保持されている部分の芯線３１に作用する力は、接続端子２４と接続されている芯線３１の先端に分力はほとんど作用しないと考えられる。その結果、ヒーター２０の接続端子２４とケーブル３０の芯線３１の接続部にはさほど力が作用せず、芯線３１が接続端子２４から外れにくくなり、シール装置の半固定部を上下動させうる回数が増加する。また、結束バンド４２の外側に折返部４１ｄが存在しているため、ヒーター２０の輸送中や組立作業などの際に他の部品や工具などが直接結束バンド４２に接触する可能性が低減され、不用意にケーブル３０がケーブル保持板４１から外れることが防止される。
【００２６】
また、一般的に、ケーブル保持板４１は、金属板をプレス加工によって打ち抜き、上記のように断面形状が逆「Ｊ」状になるように曲げ加工されており、その金属板の両表面は鏡面状に仕上げられているが、打ち抜かれた剪断面４１ｅのエッジ部分にはバリが生じている。また、ケーブル保持板４１にバリ取り加工を施したとしても、剪断面４１ｅは均一でなく、凹凸などが生じている。しかしながら、ケーブル保持板４１の先端を湾曲させて折り返し湾曲部４１ｃを形成することにより、ケーブル３０の絶縁被覆３２はケーブル保持板４１の剪断面４１ｅと直接接触することはなく、シール装置の半固定部１を繰り返し上下動させる際にケーブル３０が撓んだとしてもケーブル３０の絶縁被覆３２はケーブル保持板４１の剪断面４１ｅのバリや凹凸などによって傷つけられることはない。
【００２７】
図３は、本実施形態に係るケーブル保持構造４０の第２構成例を示す。第２構成例では、ケーブル保持板４１が側面視で逆「Ｊ」状断面形状を有している点において上記第１構成例と同様であるが、ケーブル保持板４１の基部４１ａが第１構成例の基部４１ａとケーブル保持部４１ｂを合わせた長さを有しており、ケーブル保持板４１の先端の湾曲部４１ｃは接続端子２４と芯線３１の接続部側に半円状に内向きに湾曲され、湾曲部４１ｃに連続してケーブル保持部４１ｂが、ヒーター２０の接続端子２４とケーブル３０の芯線３１の先端の接続部の引き出し方向に対して略直角を成すように形成されている。換言すれば、第１構成例のケーブル保持板４１を前後逆向きにしてヒーター２０のハウジング２１に溶接し、上記折返部４１ｄに相当する部分をケーブル保持部４１ｂとしたものである。第２構成例によれば、ヒーター２０を金型１０に取り付けたときに、金型１０及びヒーター２０の長手方向におけるケーブル保持構造４０の突出量を小さくすることができるが、ヒーター２０の接続端子２４とケーブル３０の芯線３１の接続部とケーブル保持板４１のケーブル保持部４１ｂとの距離が短くなり、ケーブル３０を略直角に曲げるときの曲げ半径が小さくなる。また、ケーブル保持板４１のケーブル保持部４１ｂの下端の剪断面４１ｅがケーブル３０の絶縁被覆３２に直接接触することになるが、ケーブル３０が結束バンド４２によって強固にケーブル保持板４１のケーブル保持部４１ｂに固定されている限り、ケーブル３０のうちケーブル保持部４１ｂに拘束されている部分は動かないので、絶縁被覆３２が傷つけられることはない。また、結束バンド４２の外側に基部４１ａが存在しているため、ヒーター２０の輸送中や組立作業などの際に他の部品や工具などが直接結束バンド４２に接触する可能性が低減され、不用意にケーブル３０がケーブル保持板４１から外れることが防止されることは、上記第１構成例と同様である。
【００２８】
図４は、本実施形態に係るケーブル保持構造４０の第３構成例を示す。第３構成例では、ケーブル保持板４１が側面視で逆「レ」状断面形状を有している点において上記第２構成例と異なっており、ケーブル保持板４１の先端の湾曲部４１ｃは逆Ｖ状に内向きに湾曲され、ケーブル保持部４１ｂは、ヒーター２０の接続端子２４とケーブル３０の芯線３１の接続部の引き出し方向に対して直角よりも小さい所定の角度（例えば６０度）を成すように形成されている。第３構成例によれば、ヒーター２０を金型１０に取り付けたときに、金型１０及びヒーター２０の長手方向におけるケーブル保持構造４０の突出量を小さくすることができ、また、ケーブル３０を直角よりも小さい所定の角度に曲げるだけでよいので、ケーブルを曲げるときの曲げ半径を大きくすることができる。その他の構成及び作用は第２構成例と同様である。
【００２９】
図５は、本実施形態に係るケーブル保持構造４０の第４構成例を示す。第４構成例では、ケーブル保持板４１は、第１構成例の側面視で逆「Ｊ」状断面形状をさらに変形したような形状を有しており、基部４１ａと湾曲部４１ｃの間に形成されたケーブル保持部４１ｂが、ヒーター２０の接続端子２４とケーブル３０の芯線３１の接続部の引き出し方向に対して直角よりも小さい所定の角度（例えば６０度）を成すように形成されている点において、第１構成例と異なる。そのため、第３構成例と同様に、ケーブル３０を直角よりも小さい所定の角度に曲げるだけでよいので、ケーブルを曲げるときの曲げ半径を大きくすることができる。一方、ケーブル保持板４１の先端（通常使用状態では上端）の湾曲部４１ｃは、接続端子２４と芯線３１の接続部とは反対側に半円状に外向きに湾曲され、さらに、湾曲部４１ｃに連続してケーブル保持部４１ｂと略平行になるように折返部４１ｄが形成されている点は、第１構成例と同様であり、結束バンド４２の外側に折返部４１ｄが位置しているため、ヒーター２０の輸送中や組立作業などの際に他の部品や工具などが直接結束バンド４２に接触する可能性が低減され、不用意にケーブル３０がケーブル保持板４１から外れることが防止される。
【００３０】
図６は、本実施形態に係るケーブル保持構造４０の第５構成例を示す。第５構成例では、ケーブル保持板４１は、側面視で略「ｎ」状断面形状を有しており、基部４１ａに連続して湾曲部４１ｃが接続端子２４と芯線３１の接続部とは反対側に半円状に外向きに湾曲されている。さらに、湾曲部４１ｃに連続してケーブル保持部４１ｂがヒーター２０の接続端子２４とケーブル３０の芯線３１の接続部の引き出し方向に対して略直角となるように形成されている。また、ケーブル保持部４１ｂに連続して折返部４１ｄが内向きに形成されている。この第５構成例では、結束バンド４２の外側に折返部や基部が存在していないため、ヒーター２０の輸送中や組立作業などの際に他の部品や工具などが直接結束バンド４２に接触する可能性があるが、ケーブル保持構造４０自体を小型化及び簡素化することができる。また、折返部４１ｄの存在によって、ケーブル３０の絶縁被覆３２はケーブル保持板４１の剪断面４１ｅと直接接触することはなく、ケーブル３０の絶縁被覆３２がケーブル保持板４１の剪断面４１ｅのバリや凹凸などによって傷つけられることが防止される。
【００３１】
図７は、本実施形態に係るケーブル保持構造４０の第６構成例を示す。第６構成例では、ケーブル保持板４１は、側面視で略「Ｌ」状断面形状を有しており、基部４１ａに連続して湾曲部４１ｃが接続端子２４と芯線３１の接続部とは反対側に四半円状に外向きに湾曲されている。さらに、湾曲部４１ｃに連続してケーブル保持部４１ｂがヒーター２０の接続端子２４とケーブル３０の芯線３１の接続部の引き出し方向に対して略平行となるように形成されている。また、ケーブル保持部４１ｂに連続して折返部４１ｄが下向きに形成されている。この第６構成例では、第５構成例と同様に、結束バンド４２の上側及び下側に折返部や基部が存在していないため、ヒーター２０の輸送中や組立作業などの際に他の部品や工具などが直接結束バンド４２に接触する可能性があるが、ケーブル保持構造４０自体を小型化及び簡素化することができる。また、折返部４１ｄの存在によって、ケーブル３０の絶縁被覆３２はケーブル保持板４１の剪断面４１ｅと直接接触することはなく、ケーブル３０の絶縁被覆３２がケーブル保持板４１の剪断面４１ｅのバリや凹凸などによって傷つけられることが防止される。
【００３２】
このように、本発明に係るヒーター及びそれに適するケーブル保持構造によれば、ヒーター（電気部品）２０の接続端子２４にケーブル３０の芯線３１の先端が接続された状態で、ケーブル３０のうちケーブル保持板４１のケーブル保持部４１ｂに対向する部分が結束バンド４２によってケーブル保持部４１ｂに強固に固定されるので、ケーブル３０に大きな引っ張り力や曲げ力が加えられたときでも、ケーブル３０に掛かる力の大部分が結束バンド４２によって拘束されている箇所に集中し、ケーブル３０の芯線３１に掛かる力が結束バンド４２を介してケーブル保持板４１に作用し、さらにケーブル保持板４１を介してハウジング２１に作用する。そのため、ヒーター２０の接続端子２４とケーブル３０の芯線３１の接続部Ｐ１にはさほど大きな力が作用せず、芯線３１が接続端子３１から外れにくくなる。
【００３３】
なお、本発明は、上記実施形態の各構成例に限定されるものではなく、様々な変形や応用が可能である。まず、本発明に係るヒーター２０は、製袋装置のシール装置の半固定部に内蔵されるヒーターに限定されるものではなく、シール装置の可動部やその他の装置に用いてもよい。また、本発明に係るケーブル保持構造４０の用途は、製袋装置のシール装置の半固定部に内蔵されるヒーターに限定されるものではなく、各種センサーやモーターその他の電気部品に電力を供給したり、制御信号を伝達するケーブルの保持に用いることができる。また、ケーブル保持板４１の基部４１ａは、必ずしもヒーター２０の接続端子２４とケーブル３０の芯線３１の先端との接続部の引き出し方向に対して略直角である必要はなく、接続端子２４と芯線３１の先端との接続部の引き出し方向に対して略平行を含む任意の角度であってもよい。さらに、ケーブル３０の本数は上記のような２本に限定されず、１本であってもよいし、あるいは３本以上であってもよい。さらに、複数のケーブル３０をガラスチューブなどの絶縁体で１つに束ねてもよい。
【符号の説明】
【００３４】
１  シール装置の半固定部
１０  金型
１１  嵌合孔
２０  ヒーター
２１  ハウジング
２２  発熱体
２３  絶縁体
２４  接続端子
２５  切欠部
２６  断熱性接着剤
３０  ケーブル
３１  芯線
３２  絶縁被覆
４０  ケーブル保持構造
４１  ケーブル保持板
４１ａ  基部
４１ｂ  ケーブル保持部
４１ｃ  湾曲部
４１ｄ  折返部
４１ｅ  剪断面
４２  結束バンド（拘束具） 
【図１】
2019140351.tif 000003
【図２】
2019140351.tif 000004
【図３】
2019140351.tif 000005
【図４】
2019140351.tif 000006
【図５】
2019140351.tif 000007
【図６】
2019140351.tif 000008
【図７】
2019140351.tif 000009
【図８】
2019140351.tif 000010